(57)【特許請求の範囲】
【請求項１】
頭部マッサージ装置であって、
基板と、
前記基板上に取り付ける駆動モジュールと、
前記基板上に設けていて、かつ前記駆動モジュールに接続する第１伝動モジュールと、
前記基板上に設けていて、かつ前記第１伝動モジュールに接続する第１マッサージモジュールと、
前記基板上に設けていて、かつ前記第１マッサージモジュールに接続する第２伝動モジュールと、
前記基板上に設けていて、かつ前記第２伝動モジュールに接続する第２マッサージモジュールと、
前記基板上に設けていて、かつ前記第１マッサージモジュールに接続する第１こめかみマッサージモジュールと、
前記基板上に設けていて、かつ前記第２マッサージモジュールに接続する第２こめかみマッサージモジュールと、
前記基板と、前記駆動モジュールと、前記第１伝動モジュールと、前記第１マッサージモジュールと、前記第２伝動モジュールと、前記第２マッサージモジュールと、前記第１こめかみマッサージモジュールと、前記第２こめかみマッサージモジュールとを収容して、前記第１マッサージモジュールと、前記第２マッサージモジュールと、前記第１こめかみマッサージモジュールと、前記第２こめかみマッサージモジュールと、にそれぞれ設けたマッサージ部材を、収容部の外部に露出し、マッサージする収容ベースと、
を備え、
前記駆動モジュールが稼働し駆動動力を形成した後に、駆動力量は前記第１伝動モジュールを介して、前記第１マッサージモジュールに伝わり、前記第１マッサージモジュールによってもみマッサージを作動させ、前記第１マッサージモジュールによって、もみマッサージ動作と同時に、駆動力量は前記第２伝動モジュールを介して、前記第２マッサージモジュールに伝わり、前記第２マッサージモジュールによってもみマッサージを作動させ、
前記第１マッサージモジュールと前記第２マッサージモジュールによって、もみマッサージを作動させると同時に、それぞれの駆動力量が前記第１こめかみマッサージモジュールと、前記第２こめかみマッサージモジュールに伝わり、前記第１こめかみマッサージモジュールと前記第２こめかみマッサージモジュールとで、同時にこめかみをもみマッサージする、ことを特徴とする、
頭部マッサージ装置。
【請求項２】
前記基板の両端部に設けられ、前記第１こめかみマッサージモジュールと前記第２こめかみマッサージモジュールとを被せる２つの蓋体と、
前記収容部と、前記基板と、前記駆動モジュールと、前記第１伝動モジュールと、前記第１マッサージモジュールと、前記第２伝動モジュールと、前記第２マッサージモジュールと、前記第１こめかみマッサージモジュールと、前記第２こめかみマッサージモジュールと、前記２つの蓋体とを収容するメインケーシングと、
をさらに有することを特徴とする、請求項１記載の頭部マッサージ器。
【請求項３】
前記収容部は底蓋と天蓋とを含む、ことを特徴とする、請求項１記載の頭部マッサージ器。
【請求項４】
基板の表面に形成する収容溝と、
前記基板の表面に形成され、かつ前記収容溝に位置していて、駆動モジュールを載置する収容ベースと、
前記基板の表面に形成していて、かつ前記収容ベースの付近部に位置するキー溝と、
前記基板の表面に形成していて、かつ前記キー溝の付近部に位置する第１ベアリングと、
前記基板の表面に形成していて、かつ前記第１ベアリングの付近部に位置する第１ディスク穴と、
前記基板の表面に形成していて、かつ前記第１ディスク穴の付近部に位置する第２ベアリングと、
前記基板の表面に形成していて、かつ前記第２ベアリングの付近部に位置する第３ベアリングと、
前記基板の表面に形成していて、かつ前記第３ベアリングの付近部に位置する第２ディスク穴と、
前記基板の表面に形成していて、それぞれ前記収容溝の両端部に位置する２つの制限穴と、を備えることを特徴とする、請求項１記載の頭部マッサージ器。
【請求項５】
前記駆動モジュールは、はすば歯車を有するモータであることを特徴とする、請求項１記載の頭部マッサージ器。
【請求項６】
前記第１伝動モジュールは第１ギヤと第２ギヤとを含み、
前記第１ベアリングはキー溝に嵌め込むギヤ軸を設けていて、かつ前記はすば歯車と互いに噛み合わせており、
前記第２ギヤは前記第１ベアリングに装着していて、かつ前記第１ベアリングと互いに噛み合わせており、
前記第２伝動モジュールは第３ギヤと第４ギヤとを含み、前記第３ギヤと前記第４ギヤは互いに噛み合わせていて、かつそれぞれ前記第２ベアリングと前記第３ベアリングに装着することを特徴とする、
請求項５記載の頭部マッサージ器。
【請求項７】
第１ディスク穴に取り付ける留めリングと、出力回転軸とを有し、前記第２ギヤと互いにかみ合わせる伝動ギヤと、
出力回転軸に装着する取付軸穴を有するもみディスクと、
前記もみディスクに装着するラテックスマッサージヘッドと、
前記ラテックスマッサージヘッドに装着する耐摩耗ブッシングと、
前記もみディスクに装着して、前記ラテックスマッサージヘッドと、前記耐摩耗ブッシングとを固定する押さえリングと、を含むことを特徴とする、請求項１記載の頭部マッサージ器。
【請求項８】
前記第２マッサージモジュールは、
前記第２ディスク穴に取り付ける留めリングと前記出力回転軸とを有し、前記第４ギヤと互いにかみ合わせる伝動ギヤと、
前記出力回転軸に装着する取付軸穴を有するもみディスクと、
前記もみディスクに装着するラテックスマッサージヘッドと、
前記ラテックスマッサージヘッドに装着する耐摩耗ブッシングと、
前記もみディスクに装着して、前記ラテックスマッサージヘッドと、前記耐摩耗ブッシングとを固定する押さえリングと、を含む、ことを特徴とする、請求項１記載の頭部マッサージ器。
【請求項９】
前記第１こめかみマッサージモジュールは、
第１軸穴と第２軸穴とを有し、前記留めリングは出力軸を有し、前記第１ディスク穴を通して、前記第２軸穴に装着する連桿と、
出力回転軸と嵌め輪とを有し、前記出力回転軸は制限穴を通して、前記第１軸穴に装着するマッサージアームと、
前記嵌め輪に装着するラテックスマッサージヘッドと、
前記ラテックスマッサージヘッドに装着する耐摩耗ブッシングと、
前記嵌め輪に装着して、前記ラテックスマッサージヘッドと、前記耐摩耗ブッシングとを固定する押さえリングと、を含む、ことを特徴とする、請求項１記載の頭部マッサージ器。
【請求項１０】
前記第１こめかみマッサージモジュールは、
第１軸穴と第２軸穴とを有し、前記留めリングは出力軸を有し、前記第２ディスク穴を通して、前記第２軸穴に装着する連桿と、
出力回転軸と嵌め輪とを有し、前記出力回転軸は制限穴を通して、前記第１軸穴に装着するマッサージアームと、
前記嵌め輪に装着するラテックスマッサージヘッドと、
前記ラテックスマッサージヘッドに装着する耐摩耗ブッシングと、
前記嵌め輪に装着して、前記ラテックスマッサージヘッドと、前記耐摩耗ブッシングとを固定する押さえリングと、を含む、ことを特徴とする、請求項１記載の頭部マッサージ器。
【請求項１１】
両端部にそれぞれエアタンクを設けられた支持プレートと、複数の第１結合柱より構成され、前記複数の第１結合柱はそれぞれ前記天蓋表面に備える複数の第２結合柱にはめ込む支え部と、
前記支え部に取り付けていて、エアバッグマッサージパッドを有し、２つのエアチューブは前記エアバッグマッサージパッドより引き出して、それぞれ前記２つのエアタンクに取り付けるエアバッグマッサージ素子とを含み、天蓋に取り付けるエアバッグマッサージモジュールをさらに有することを特徴とする、請求項３記載の頭部マッサージ器。
【発明の詳細な説明】
【技術分野】
【０００１】
本発明は頭部マッサージ器に関し、特に頭部とこめかみとを同時にマッサージできる頭部マッサージ器に関する。
【背景技術】
【０００２】
今の人々は生活が忙しく、適時にストレスを解消することができないため、長期間にたまっていて、首部が硬くなり、頭痛を引き起こされる。そのために、市場では肢体のマッサージ器と、マッサージチェアなどのマッサージ装置のほか、頭部マッサージ器も販売されている。
【０００３】
図１と図２にて、公知頭部マッサージ器の立体図と側面図を参照する。
図１と図２に示すように、公知の頭部マッサージ器１’は、マッサージ装置１１’と、ケーシング部１０’と、２つのマッサージヘッド支持台５３’と、２つのマッサージヘッド５５’と、マッサージ器８０’と、２つのグリップ８１’とを備える。
そのうち、マッサージ装置１１’はマッサージ器８０’の内部に取り付けていて、マッサージ装置１１’すべてのマッサージヘッド５５’は、マッサージ器８０’湾曲部の内面に向かっている。
このほか、図に示すように、マッサージ器８０’の両端部にそれぞれ手で把持するグリップ８１’を設けられている。
これにより、使用者が両手でマッサージ器８０’に備える２つのグリップ８１’を握り、マッサージ装置１１’を首部または頭部にもたれて、首部または頭部をもみマッサージすることができる。
【発明の概要】
【発明が解決しようとする課題】
【０００４】
図１に示す頭部マッサージ器１’は現在よく見かけるマッサージ器である。
しかし、使用時には、以下のように欠点と不足なところが存在している。
前述した頭部マッサージ器１’は、首部または頭部をマッサージできるが、首部または頭部をマッサージしているときには、こめかみを同時にマッサージすることはできない。
そのため、使用者はマッサージ器１’を使用するときに、もう一つのマッサージ器を用いてこめかみをマッサージしなければない。
この点は使用者にとって、極めて不便を感じさせる。
【０００５】
前述した公知の頭部マッサージ器の説明をまとめると、公知の頭部マッサージ器は多くの欠点と不足があることは明らかである。
そのため、発明人が研究開発をつとめた結果、本発明の頭部マッサージ器を発明するに至った。
【課題を解決するための手段】
【０００６】
本発明の主な目的は、頭部マッサージ器を提供する。第１マッサージモジュールと、第２マッサージモジュールと、第１こめかみマッサージモジュールと、第２こめかみマッサージモジュールとを同時に備える。
使用者が本発明の頭部マッサージ器を使用するときに、第１マッサージモジュールと、第２マッサージモジュールとを頭部または頸部にマッサージすると同時に、第１こめかみマッサージモジュールと、第２こめかみマッサージモジュールとをこめかみにマッサージできることは使用者にとって、極めて便利でしかもストレス解消の二重効果を有する。
さらに、第１マッサージモジュールと、第２マッサージモジュールと、第１こめかみマッサージモジュールと、第２こめかみマッサージモジュールに使用されているマッサージヘッド素子は中空状のラテックスマッサージヘッドであり、その表面に耐摩耗部材を覆い被せられているため、ラテックスマッサージヘッドによって、使用者の頭部に柔らかいもみマッサージを提供し、より快適で理想なマッサージ効果を実現できる。
【０００７】
前述目的を達成するため、本発明で提供する頭部マッサージ器は、基板と、基板上に取り付ける駆動モジュールと、基板上に設けていて、かつ駆動モジュールに接続する第１伝動モジュールと、基板上に設けていて、かつ第１伝動モジュールに接続する第１マッサージモジュールと、基板上に設けていて、かつ第１マッサージモジュールに接続する第２伝動モジュールと、基板上に設けていて、かつ第２伝動モジュールに接続する第２マッサージモジュールと、基板上に設けていて、かつ第１マッサージモジュールに接続する第１こめかみマッサージモジュールと、基板上に設けていて、かつ第２マッサージモジュールに接続する第２こめかみマッサージモジュールと、
基板と、駆動モジュールと、第１伝動モジュールと、第１マッサージモジュールと、第２伝動モジュールと、第２マッサージモジュールと、第１こめかみマッサージモジュールと、第２こめかみマッサージモジュールとを収容し、第１マッサージモジュールと、第２マッサージモジュールと、第１こめかみマッサージモジュールと、第２こめかみマッサージモジュールと、にそれぞれ設けたマッサージ部材を、外部に露出して、マッサージする収容ベースと、
を備える。
【０００８】
そのうち、駆動モジュールによって駆動動力を形成した後に、駆動力量は第１伝動モジュールを介して、第１マッサージモジュールに伝わり、第１マッサージモジュールによってもみマッサージを作動させ、第１マッサージモジュールによってもみマッサージ動作と同時に駆動力量は第２伝動モジュールを介して、第２マッサージモジュールに伝わり、第２マッサージモジュールによってもみマッサージを作動させる。
【０００９】
そのうち、第１マッサージモジュールと第２マッサージモジュールによって、もみマッサージを作動させると同時に、それぞれの駆動力量が第１こめかみマッサージモジュールと、第２こめかみマッサージモジュールに伝わり、第１こめかみマッサージモジュールと、第２こめかみマッサージモジュールとで、同時にこめかみをもみマッサージできる。
【発明の効果】
【００１０】
本発明は、以下の長所を有している。
【００１１】
（イ）本発明の頭部マッサージ器は、第１マッサージモジュール１４と、第２マッサージモジュール１６と、第１こめかみマッサージモジュール１４ａと、第２こめかみマッサージモジュール１６ａとを同時に備えている。
使用者が本発明の頭部マッサージ器を使用するときに、第１マッサージモジュール１４と、第２マッサージモジュール１６とを頭部または頸部をマッサージと同時に、第１こめかみマッサージモジュール１４ａと、第２こめかみマッサージモジュール１６ａとがこめかみにマッサージできることは使用者にとって、極めて便利でしかもストレス解消の二重効果を有する。
【００１２】
（ロ）本発明の頭部マッサージ器は、さらに、第１マッサージモジュールと、第２マッサージモジュールと、第１こめかみマッサージモジュール１４ａと、第２こめかみマッサージモジュール１６ａの使用するマッサージヘッド素子は中空状のラテックスマッサージヘッドであり、その表面に耐摩耗部材を覆い被せており、ラテックスマッサージヘッドによって、使用者の頭部に柔らかくもみマッサージを提供し、より快適で理想なマッサージ効果を実現できる。
【００１３】
（ハ）前記（イ）で述べたとおり、第１マッサージモジュール１４と、第２マッサージモジュール１６と、第１こめかみマッサージモジュール１４ａと、第２こめかみマッサージモジュール１６ａとを合わせてマッサージしているうちに、エアバッグマッサージモジュール１８はエアバッグマッサージ素子１８２によって、使用者の後頭部を軽くマッサージすることによって、使用者の脳部と首部に心地をよくさせる。
【図面の簡単な説明】
【００１４】
【図１】公知の頭部マッサージ器の立体図である。
【図２】公知の頭部マッサージ器の側面図である。
【図３】本発明の頭部マッサージ器の立体図である。
【図４】頭部マッサージ器の立体展開図である。
【図５Ａ】頭部マッサージ器の駆動モジュールと、第１伝動モジュールと、第１マッサージモジュールと、第２伝動モジュールと、第２マッサージモジュールと、第１こめかみマッサージモジュールと、第２こめかみマッサージモジュールの立体組立図である。
【図５Ｂ】頭部マッサージ器の駆動モジュールと、第１伝動モジュールと、第１マッサージモジュールと、第２伝動モジュールと、第２マッサージモジュールと、第１こめかみマッサージモジュールと、第２こめかみマッサージモジュールの立体組立図である。
【図６】第１マッサージモジュールの立体組立図である。
【図７】第２マッサージモジュールの立体組立図である。
【図８】第１こめかみマッサージモジュールの立体組立図である。
【図９】第２こめかみマッサージモジュールの立体組立図である。
【図１０】エアバッグマッサージモジュールの分解図である。
【発明を実施するための形態】
【００１５】
本発明の頭部マッサージ器をより詳しく説明するため、図面と合わせて好ましい実施例を以下のとおり詳細説明する。
なお、これらの詳細な説明は、本発明の好ましい実施例について説明したものだが、該実施例は本発明になんらの制限を加わるものではない。
本発明の技術精神に基づく等の効果の応用又は変更は、すべて本発明の特許請求の範囲に含まれる。
【実施例】
【００１６】
図３と図４における本発明の頭部マッサージ器の立体図と立体展開図を合わせて参照する。
図３と図４に示すように、本発明の頭部マッサージ器１はメインケーシング１０と、基板１１と、駆動モジュール１２と、第１伝動モジュール１３と、第１マッサージモジュール１４と、第２伝動モジュール１５と、第２マッサージモジュール１６と、第１こめかみマッサージモジュール１４ａと、第２こめかみマッサージモジュール１６ａと、収容部１１’’と、２つの蓋体１７と、一つのエアバッグマッサージモジュール１８とを含む。
そのうち、メインケーシング１０によって、収容部１１’’と、基板１１と、駆動モジュール１２と、第１伝動モジュール１３と、第１マッサージモジュール１４と、第２伝動モジュール１５と、第２マッサージモジュール１６と、第２こめかみマッサージモジュール１４ａと、第２こめかみマッサージモジュール１６ａと、２つの蓋体１７とを収容されている。
【００１７】
図に示すように、基板１１は収容溝１１１と、収容ベース１１１１、と、キー溝１１２と、第１ベアリング１１３と、第１ディスク穴１１４と、第２ベアリング１１５と、第３ベアリング１１６と、第２ディスク穴１１７と、２つの制限穴１１８とを含む。
そのうち、収容溝１１１は基板１１の表面に形成し、収容ベース１１１１も基板１１の表面に形成し収容溝１１１に位置していて、駆動モジュール１２を載置している。キー溝１１２は基板１１の表面に形成し、収容ベース１１１１の付近部に位置する。第１ベアリング１１３は基板１１の表面に形成し、かつキー溝１１２の付近部に位置している。
【００１８】
引き続き、第１ディスク穴１１４は基板１１の表面に形成していて、第１ベアリング１１３の付近部に位置する。第２ベアリング１１５は基板１１の表面に形成し、第１ディスク穴１１４の付近部に位置する。
さらに、第３ベアリング１１６は基板１１の表面に形成し、第２ベアリング１１５の付近場所に位置する。第２ディスク穴１１７は基板１１の表面に形成し、第３ベアリング１１６の付近場所に位置する。
このほか、２つの制限穴１１８は基板１１の表面に形成していて、それぞれ収容溝１１１の両端部に位置する。
【００１９】
さらに、頭部マッサージ器１は図に示すように、収容ベース１１１１内部に設ける駆動モジュール１２は、はすば歯車１２１を有するモータである。
図５Ａと５Ｂにおける、駆動モジュール１２と、第１伝動モジュール１３と、第１マッサージモジュール１４と、第２伝動モジュール１５と、第２マッサージモジュール１６と、第１こめかみマッサージモジュール１４ａと、第２こめかみマッサージモジュール１６ａの立体組立図を合わせて参照する。
図に示すように、第１伝動モジュール１３は基板１１上に設けられ、第１ギヤ１３１と第２ギヤ１３２とを含む。
そのうち、第１ベアリング１１３はキー溝１１２に嵌め込むギヤ軸を有し、はすば歯車１２１と互いに噛み合わせられ、第２ギヤ１３２は第１ベアリング１１３に装着していて、第１ベアリング１１３と互いに噛み合わせる。
さらに、第２伝動モジュール１５は第３ギヤ１５１と第４ギヤ１５２とを含む。
そのうち、第３ギヤ１５１と第４ギヤ１５２とを互いに噛み合わせていて、かつそれぞれ第２ベアリング１１５と第３ベアリング１１６に装着されている。
【００２０】
引き続き図６における第１マッサージモジュールの立体組立図を参照する。
図に示すように、第１マッサージモジュール１４は基板１１上に設けられている。伝動ギヤ１４５と、もみディスク１４４と、ラテックスマッサージヘッド１４１と、耐摩耗ブッシング１４２と、押さえリング１４３と、を含む。
そのうち、伝動ギヤ１４５は留めリング１４５１と、出力回転軸１４５２とを有し、留めリング１４５１は第１ディスク穴１１４に取り付けていて、かつ伝動ギヤ１４５は第２ギヤ１３２と第３ギヤ１５１とを互いに噛み合わせている。
さらに、ラテックスマッサージヘッド１４１は取付軸穴１４４１を有するもみディスク１４４に装着していて、かつ出力回転軸１４５２は取付軸穴１４４１に嵌め込んでいる。
耐摩耗ブッシング１４２はもみディスク１４４に備えるラテックスマッサージヘッド１４１に装着しており、押さえリング１４３をもみディスク１４４に装着して、ラテックスマッサージヘッド１４１と耐摩耗ブッシング１４２とを固定して置く。
【００２１】
引き続き図７における第２マッサージモジュールの立体組立図を参照する。
図に示すように、第２マッサージモジュール１６は基板１１上に設けられている。
伝動ギヤ１６５と、もみディスク１６４と、ラテックスマッサージヘッド１６１と、耐摩耗ブッシング１６２と、押さえリング１６３と、を含む。
そのうち、伝動ギヤ１６５は留めリング１６５１と、出力回転軸１６５２とを有し、留めリング１６５１は第２ディスク穴１１７に設けおり、伝動ギヤ１６５は第４ギヤ１５２と互いに噛み合わせている。ラテックスマッサージヘッド１６１は取付軸穴１６４１を備えるもみディスク１６４に装着して、出力回転軸１６５２は取付軸穴１６４１に嵌め込んでいる。
耐摩耗ブッシング１６２はもみディスク１６４に備えるラテックスマッサージヘッド１６１に装着しており、押さえリング１６３はもみディスク１６４に装着して、ラテックスマッサージヘッド１６１と耐摩耗ブッシング１６２とを固定して置く。
【００２２】
引き続き図８における第１こめかみマッサージモジュールの立体組立図を参照する。
図に示すように、第１こめかみマッサージモジュール１４ａは基板１１上に設けられており、連桿１４１ａと、マッサージアーム１４２ａと、ラテックスマッサージヘッド１４３ａと、耐摩耗ブッシング１４４ａと、押さえリング１４５ａと、を含む。
そのうち、連桿１４１ａは第１軸穴１４１１ａと第２軸穴１４１２ａとを有しており、伝動ギヤ１４５に備える留めリング１４５１の出力軸１４５３は第１ディスク穴１１４を通して、第２軸穴１４１２ａに取り付けられている。
マッサージアーム１４２ａは出力回転軸１４２１ａと留め金１４２２ａとを有する。そのうち、出力回転軸１４２１ａは制限穴１１８を通して第１軸穴１４１１ａに取り付けてられている。
耐摩耗ブッシング１４４ａは留め金１４２２ａに備えるラテックスマッサージヘッド１４３ａに装着しており、押さえリング１４５ａを留め金１４２２ａに装着して、ラテックスマッサージヘッド１４３ａと耐摩耗ブッシング１４４ａとを固定して置く。
【００２３】
引き続き図９における第２こめかみマッサージモジュールの立体組立図を参照する。図に示すように、第２こめかみマッサージモジュール１６ａは基板１１上に設けられており、連桿１６１ａと、マッサージアーム１６２ａと、ラテックスマッサージヘッド１６３ａと、耐摩耗ブッシング１６４ａと、押さえリング１６５ａと、を含む。
そのうち、連桿１６１ａは第１軸穴１６１１ａと、第２軸穴１６１２ａとを有し、伝動ギヤ１６５に備える留めリング１６５１の出力軸１６５３は第２ディスク穴１１７を通して、第２軸穴１６１２ａに取り付けられている。
マッサージアーム１６２ａは出力回転軸１６２１ａと、嵌め輪１６２２ａとを有する。そのうち、出力回転軸１６２１ａは制限穴１１８を通して、第１軸穴１６１１ａに取り付けられている。耐摩耗ブッシング１６４ａを嵌め輪１６２２ａのラテックスマッサージヘッド１６３ａに装着し、押さえリング１６５ａを嵌め輪１６２２ａに装着して、ラテックスマッサージヘッド１６３ａと耐摩耗ブッシング１６４ａとを固定して置く。
【００２４】
引き続き図４と、図５Ａと、図５Ｂとを併せて参照する。
そのうち、収容部１１’’は底蓋１７１と天蓋１７２とを含み、基板１１と、駆動モジュール１２と、第１伝動モジュール１３と、第１マッサージモジュール１４と、第２伝動モジュール１５と、第２マッサージモジュール１６と、第１こめかみマッサージモジュール１４ａと、第２こめかみマッサージモジュール１６ａとを収容していて、第１マッサージモジュール１４と、第２マッサージモジュール１６と、第１こめかみマッサージモジュール１４ａと、第２こめかみマッサージモジュール１６ａと、にそれぞれ設けたマッサージ部材を、収容部１１’’の外部に露出しマッサージする。
【００２５】
引き続き、図１０におけるエアバッグマッサージモジュール１８の分解図を参照する。
図に示すように、エアバッグマッサージモジュール１８は天蓋１７２に設けられ、支え部１８１と、エアマッサージ素子１８２より構成されている。
そのうち、支え部１８１は両端にそれぞれエアタンク１８１３を設けられた支持プレート１８１１と、複数の第１結合柱１８１２より構成され、複数の第１結合柱１８１２はそれぞれ天蓋１７２表面に備える複数の第２結合柱１７２１に嵌め込んでいて、かつエアマッサージ素子１８２は支え部１８１に設けられ、エアバッグマッサージパッド１８２１を有する。
そのうち、２つのエアチューブ１８２２はエアバッグマッサージパッド１８２１より伸ばしていて、かつそれぞれ２つのエアタンク１８１３の内部に取り付けられている。
【００２６】
前述した設置により、駆動モジュール１２が稼働し駆動動力を形成した後に、駆動力量は第１伝動モジュール１３を介して、第１マッサージモジュール１４に伝わり、第１マッサージモジュール１４によってもみマッサージを作動させ、第１マッサージモジュール１４がもみマッサージ動作すると同時に、駆動力量は第２伝動モジュール１５を介して、第２マッサージモジュール１６に伝わり、第２マッサージモジュール１６によってもみマッサージを作動させる。
さらに、第１マッサージモジュール１４と第２マッサージモジュール１６によって、もみマッサージを作動すると同時に、それぞれの駆動力量が第１こめかみマッサージモジュール１４ａと、第２こめかみマッサージモジュール１６ａに伝わり、第１こめかみマッサージモジュール１４ａと、第２こめかみマッサージモジュール１６ａとでこめかみをもみマッサージする。
このほか、第１マッサージモジュール１４と、第２マッサージモジュール１６と、第１こめかみマッサージモジュール１４ａと、第２こめかみマッサージモジュール１６ａとを合わせてマッサージしてすると同時に、エアバッグマッサージモジュール１８はエアバッグマッサージ素子１８２により、使用者の後頭部に軽くマッサージすることによって、使用者の脳部と首部に心地をよくさせる。
【符号の説明】
【００２７】
１              頭部マッサージ装置
１０            メインケーシング
１１            基板
１２            駆動モジュール
１３            第１伝動モジュール
１４            第１マッサージモジュール
１５            第２伝動モジュール
１６            第２マッサージモジュール
１７            蓋体
１８            エアバッグマッサージモジュール
１１１          収容溝
１１２          キー溝
１１３          第１ベアリング
１１４          第１ディスク穴
１１５          第２ベアリング
１１６          第３ベアリング
１１７          第２ディスク穴
１１８          制限穴
１２１          はすば歯車
１３１          第１ギヤ
１３２          第２ギヤ
１４１          ラテックスマッサージヘッド
１４２          耐摩耗ブッシング
１４４          もみディスク
１４５          伝動ギヤ
１５１          第３ギヤ
１５２          第４ギヤ
１６１          ラテックスマッサージヘッド
１６２          耐摩耗ブッシング
１６４          もみディスク
１６５          伝動ギヤ
１７１          底蓋
１７２          天蓋
１８１          支え部
１８２          エアバッグマッサージ素子
１４ａ          第１こめかみマッサージモジュール
１６ａ          第２こめかみマッサージモジュール
１１１１        収容ベース
１４４１        取付軸穴
１４５１        留めリング
１４５２        出力回転軸
１６４１        取付軸穴
１６５１        留めリング
１６５２        出力回転軸
１７２１        第２結合柱
１８１１        支持プレート
１８１２        第１結合柱
１８１３        エアタンク
１８２１        エアバッグマッサージパッド
１８２２        エアチューブ
１４１ａ        連稈
１４２ａ        マッサージアーム
１４３ａ        ラテックスマッサージヘッド
１４４ａ        耐摩耗ブッシング
１４５ａ        押さえリング
１４１１ａ      第１軸穴
１４１２ａ      第２軸穴
１４２１ａ      出力回転軸
１４２２ａ      嵌め輪
１６１１ａ      第１軸穴
１６１２ａ      第２軸穴
１６２１ａ      出力回転軸
１６２２ａ      嵌め輪
【図１】
0005886264.tif 000002
【図２】
0005886264.tif 000003
【図３】
0005886264.tif 000004
【図４】
0005886264.tif 000005
【図５Ａ】
0005886264.tif 000006
【図５Ｂ】
0005886264.tif 000007
【図６】
0005886264.tif 000008
【図７】
0005886264.tif 000009
【図８】
0005886264.tif 000010
【図９】
0005886264.tif 000011
【図１０】
0005886264.tif 000012